【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
テープを細長く切断する作業中に、複合テープの幅を測定する装置であって、
テープ表面に放射エネルギーを送る送波器、並びに
テープの端部を通過する、送波器からの放射エネルギーを受けて、テープの幅に関連する信号を発生させる受波器
を備える装置。
【請求項２】
送波器及び受波器がそれぞれ取り付けられている共通の担体をさらに含む、請求項１に記載の装置。
【請求項３】
テープの長さに対して直角の方向へ移動するために、共通の担体を取り付ける手段を更に含む、請求項２に記載の装置。
【請求項４】
テープの長さに対して直角の方向へ移動するために、連結した送波器及び受波器を取り付ける手段を更に含む、請求項１に記載の装置。
【請求項５】
前記取付け手段が、
送波器及び受波器のうちの少なくとも一つが取り付けられた少なくとも一つの第１キャリッジ、並びに
テープの長さに対して直角の方向に沿ったキャリッジの移動を案内するガイド
を含む、請求項４に記載の装置。
【請求項６】
ガイドに沿ってキャリッジを駆動する電気駆動装置をさらに備える、請求項５に記載の装置。
【請求項７】
ガイドに沿ってキャリッジの位置を検出するセンサをさらに備える、請求項５に記載の装置。
【請求項８】
センサによって検出されたキャリッジの位置に基づいて、キャリッジの動きを制御するセンサに接続されたコントローラをさらに含む、請求項７に記載の装置。
【請求項９】
放射エネルギーが光である、請求項１に記載の装置。
【請求項１０】
スリット機においてテープが所望の幅に細長く切断されている時に、複合テープの幅を測定する方法であって、
（Ａ）テープが細長く切断された後に、テープに放射エネルギーの一平面を送り、
（Ｂ）前記放射エネルギーの平面を使用して、テープの少なくとも一端部の位置を判定し、
（Ｃ）ステップ（Ｂ）において判定された端部の位置を使用して、細長く切断されたテープの幅を計算する
ステップを含む方法。
【請求項１１】
ステップ（Ａ）が、テープ上で放射エネルギーの平面を位置づけして、平面の一部が少なくとも一端部表面を通過するようにするステップを含む、請求項１０に記載の方法。
【請求項１２】
ステップ（Ｂ）が、
少なくとも一端部表面を通過する放射エネルギーの平面の一部を受け、
受け取った平面の一部の基準点に対する位置を判定する
ステップを含む、請求項１１に記載の方法。
【請求項１３】
ステップ（Ａ）が、テープの一側面上に送波器を位置づけするステップを含み、
ステップ（Ｂ）が、テープの対向する側面上の、送波器と光学的に配列される位置に受波器を位置づけするステップを含む、請求項１０に記載の方法。
【請求項１４】
さらに、
（Ｄ）テープが送波器と受波器の間を通る時に、テープを引き伸ばす
ステップを含む、請求項１３に記載の方法。
【請求項１５】
ステップ（Ａ）が、少なくとも一端部に対して送波器の横方向の位置を調節するステップを含み、
ステップ（Ｂ）が、少なくとも一端部に対して受波器の横方向の位置を調節するステップを含む、請求項１３に記載の方法。
【手続補正２】
【補正対象書類名】明細書
【補正対象項目名】００２７
【補正方法】変更
【補正の内容】
【００２７】
本発明の実施形態を特定の例示の実施形態について説明したが、当然ながら特定の実施形態は例示目的のものであって、限定するものではなく、当業者によって他の変形例を発想することが可能である。
また、本発明は以下に記載する態様を含む。
（態様１）
テープを細長く切断する作業中に、複合テープの幅を測定する装置であって、
テープ表面に放射エネルギーを送る送波器、並びに
テープの端部を通過する、送波器からの放射エネルギーを受けて、テープの幅に関連する信号を発生させる受波器
を備える装置。
（態様２）
送波器及び受波器がそれぞれ取り付けられている共通の担体をさらに含む、態様１に記載の装置。
（態様３）
テープの長さに対して直角の方向へ移動するために、共通の担体を取り付ける手段を更に含む、態様２に記載の装置。
（態様４）
テープの長さに対して直角の方向へ移動するために、連結した送波器及び受波器を取り付ける手段を更に含む、態様１に記載の装置。
（態様５）
前記取付け手段が、
送波器及び受波器のうちの少なくとも一つが取り付けられた少なくとも一つの第１キャリッジ、並びに
テープの長さに対して直角の方向に沿ったキャリッジの移動を案内するガイド
を含む、態様４に記載の装置。
（態様６）
ガイドに沿ってキャリッジを駆動する電気駆動装置をさらに備える、態様５に記載の装置。
（態様７）
ガイドに沿ってキャリッジの位置を検出するセンサをさらに備える、態様５に記載の装置。
（態様８）
センサによって検出されたキャリッジの位置に基づいて、キャリッジの動きを制御するセンサに接続されたコントローラをさらに含む、態様７に記載の装置。
（態様９）
放射エネルギーが光である、態様１に記載の装置。
（態様１０）
テープスリット機とともに使用する、テープをある幅に細長く切断している間にテープの幅を監視する装置であって、
テープが所望の幅に細長く切断された後に、テープの少なくとも一端部の位置を光学的に検出する機械に取り付けられた光学検出デバイス、並びに
検出した位置を、テープの幅を表す信号に変換する手段
を備える装置。
（態様１１）
光学検出デバイスが、
テープの少なくとも一端部表面に放射エネルギーを送るために、テープの一側面に位置づけされた送波器、並びに
テープの一端部を通過する、送波器からの放射エネルギーを受けるために、テープの対向する側面に位置づけされた受波器
を含む、態様１０に記載の装置。
（態様１２）
受波器が、一端部の位置を記録するカメラを含む、態様１１に記載の装置。
（態様１３）
放射エネルギーは送波器によってテープの一表面に投影された光の一平面である、態様１１に記載の装置。
（態様１４）
テープの長さに対して直角の方向に延びるガイド、並びに
ガイドに沿って移動させるためにガイド上に取り付けられたキャリッジであって、光学検出デバイスがキャリッジに取り付けられ、キャリッジとともに移動可能であることにより、テープに対する検出デバイスの位置の調節が可能であるキャリッジ
をさらに備える、態様１０に記載の装置。
（態様１５）
送波器が、テープ幅に光線を投影する、態様１１に記載の装置。
（態様１６）
検出デバイスが、送波器と受波器の間につながれ、送波器と受波器を互いに配列された関係に保持する固定式連結金具をさらに含む、態様１１に記載の装置。
（態様１７）
検出デバイスが、テープの長さに対して直角の方向に移動するために、調節可能に機械に取り付けられている、態様１１に記載の装置。
（態様１８）
複合材料を細長く切断し測定する装置であって、
ある長さの複合材料を、予め選択された幅を有する、少なくとも一つの長さのテープに細長く切断する少なくとも一つのカッター、
前記長さの複合材料をカッターに供給する手段、
複合材料がカッターによって細長く切断された後に、テープを巻き取るための巻き取り手段、並びに
テープが巻き取られている時に、テープの幅を測定するデバイス
を備える装置。
（態様１９）
カッターに前記長さの複合材料を供給する供給ロールをさらに備え、
巻き取り手段が、テープを巻き取るための巻き取りローラを含む、
態様１８に記載の装置。
（態様２０）
測定デバイスが、テープの対向する端部を光学的に検出して、検出した対向する端部間の距離に関連する電気信号を発生させるための光学マイクロメータを含む、態様１８に記載の装置。
（態様２１）
光学マイクロメータが、
テープ幅に放射エネルギー光線を送る送波器、並びに
テープの端部を通過する、送波器からの放射エネルギーを受ける受波器
を含む、態様１８に記載の装置。
（態様２２）
テープが測定デバイスによって測定されている間、テープを所望の高さに保持する手段をさらに備える、態様１８に記載の装置。
（態様２３）
測定デバイスの位置を、テープの少なくとも一端部に対して調節する手段をさらに備える、態様１８に記載の装置。
（態様２４）
スリット機においてテープが所望の幅に細長く切断されている時に、複合テープの幅を測定する方法であって、
（Ａ）テープが細長く切断された後に、テープに放射エネルギーの一平面を送り、
（Ｂ）前記放射エネルギーの平面を使用して、テープの少なくとも一端部の位置を判定し、
（Ｃ）ステップ（Ｂ）において判定された端部の位置を使用して、細長く切断されたテープの幅を計算する
ステップを含む方法。
（態様２５）
ステップ（Ａ）が、テープ上で放射エネルギーの平面を位置づけして、平面の一部が少なくとも一端部表面を通過するようにするステップを含む、態様２４に記載の方法。
（態様２６）
ステップ（Ｂ）が、
少なくとも一端部表面を通過する放射エネルギーの平面の一部を受け、
受け取った平面の一部の基準点に対する位置を判定する
ステップを含む、態様２５に記載の方法。
（態様２７）
ステップ（Ａ）及び（Ｂ）が光学マイクロメータを使用して行われる、態様２４に記載の方法。
（態様２８）
ステップ（Ａ）が、テープの一側面上に送波器を位置づけするステップを含み、
ステップ（Ｂ）が、テープの対向する側面上の、送波器と光学的に配列される位置に受波器を位置づけするステップを含む、態様２４に記載の方法。
（態様２９）
さらに、
（Ｄ）テープが送波器と受波器の間を通る時に、テープを引き伸ばす
ステップを含む、態様２８に記載の方法。
（態様３０）
ステップ（Ａ）が、少なくとも一端部に対して送波器の横方向の位置を調節するステップを含み、
ステップ（Ｂ）が、少なくとも一端部に対して受波器の横方向の位置を調節するステップを含む、態様２８に記載の方法。
（態様３１）
送波器及び受波器の調節が同期的に行われる、態様３０に記載の方法。